(57)【特許請求の範囲】
【請求項１】
（Ｉ）  床後縁の左側翼突上顎切痕に相当する点Ｐと右側翼突上顎切痕に相当する点Ｑとを結ぶ線分ＰＱの長さを１とした場合、
唇側床縁の正中にあたる上唇小帯に相当する点Ｏと線分ＰＱの中点Ｍとを結ぶ線分ＯＭの長さが０．７６〜０．９８であり、
点Ｏと点Ｐとを結ぶ線分ＯＰを４等分する各点を、点Ｏ側から点Ｐ１、点Ｐ２、点Ｐ３とし、
線分ＯＰ上の点Ｐ１、点Ｐ２、点Ｐ３からの垂直線が左側頬側床縁と交わる点を点Ｄ１、点Ｄ２、点Ｄ３とし、
点Ｏと点Ｑとを結ぶ線分ＯＱを４等分する各点を、点Ｏ側から点Ｑ１、点Ｑ２、点Ｑ３とし、
線分ＯＱ上の点Ｑ１、点Ｑ２、点Ｑ３からの垂直線が右側頬側床縁と交わる点を点Ｅ１、点Ｅ２、点Ｅ３とし、
線分Ｐ１Ｄ１及び線分Ｑ１Ｅ１の長さがそれぞれ０．１１〜０．３６、
線分Ｐ２Ｄ２及び線分Ｑ２Ｅ２の長さがそれぞれ０．１９〜０．４５、
線分Ｐ３Ｄ３及び線分Ｑ３Ｅ３の長さがそれぞれ０．１６〜０．４５
である上顎基準義歯床であって、
（ＩＩ）  線分ＯＰ上にあり点Ｏから０．７４の距離にある点Ｓ６と、左側頬側床縁と、を結ぶ線分ＯＰに対する垂直線上であって、点Ｓ６から左側頬側床縁側に０．１１の距離に中心点を有する半径０．１４の円内に左側上顎第一大臼歯の中心窩を有し、
線分ＯＱ上にあり点Ｏから０．７４の距離にある点Ｔ６と、右側頬側床縁と、を結ぶ線分ＯＱに対する垂直線上であって、点Ｔ６から右側頬側床縁側に０．１１の距離に中心点を有する半径０．１４の円内に右側上顎第一大臼歯の中心窩を有し、
（ＩＩＩ）  左側上顎中切歯、右側上顎中切歯、左側上顎犬歯及び右側上顎犬歯の各歯における中央唇側面隆線と歯肉辺縁との交点を結ぶ平面を基準平面とした場合において、
該基準平面から左側上顎第一大臼歯の頬側遠心咬頭頂までの該基準平面に対する垂直距離Ｌ６及び右側上顎第一大臼歯の頬側遠心咬頭頂までの該基準平面に対する垂直距離Ｒ６がいずれも０．１６〜０．２４であることを特徴とする上顎基準義歯床。
【請求項２】
（Ｉ）  床後縁の左側翼突上顎切痕に相当する点Ｐと右側翼突上顎切痕に相当する点Ｑとを結ぶ線分ＰＱの長さを１とした場合、
唇側床縁の正中にあたる上唇小帯に相当する点Ｏと線分ＰＱの中点Ｍとを結ぶ線分ＯＭの長さが０．７６〜０．９８であり、
点Ｏと点Ｐとを結ぶ線分ＯＰを４等分する各点を、点Ｏ側から点Ｐ１、点Ｐ２、点Ｐ３とし、
線分ＯＰ上の点Ｐ１、点Ｐ２、点Ｐ３からの垂直線が左側頬側床縁と交わる点を点Ｄ１、点Ｄ２、点Ｄ３とし、
点Ｏと点Ｑとを結ぶ線分ＯＱを４等分する各点を、点Ｏ側から点Ｑ１、点Ｑ２、点Ｑ３とし、
線分ＯＱ上の点Ｑ１、点Ｑ２、点Ｑ３からの垂直線が右側頬側床縁と交わる点を点Ｅ１、点Ｅ２、点Ｅ３とし、
線分Ｐ１Ｄ１及び線分Ｑ１Ｅ１の長さがそれぞれ０．１１〜０．３６、
線分Ｐ２Ｄ２及び線分Ｑ２Ｅ２の長さがそれぞれ０．１９〜０．４５、
線分Ｐ３Ｄ３及び線分Ｑ３Ｅ３の長さがそれぞれ０．１６〜０．４５
である上顎基準義歯床であって、
（ＩＶ）  直線ＯＭ上であって点Ｍから唇側に０．７６〜１．１４の距離に左側上顎中切歯と右側上顎中切歯との歯間部を有し、
（Ｖ）  請求項１に記載の基準平面に対し、該基準平面から左側上顎中切歯の切縁中央までの該基準平面に対する垂直距離Ｌ１及び右側上顎中切歯の切縁中央までの該基準平面に対する垂直距離Ｒ１がいずれも０．１６〜０．２４であることを特徴とする上顎基準義歯床。
【請求項３】
（Ｉ）  後縁の左側翼突上顎切痕に相当する点Ｐと右側翼突上顎切痕に相当する点Ｑとを結ぶ線分ＰＱの長さを１とした場合、
唇側床縁の正中にあたる上唇小帯に相当する点Ｏと線分ＰＱの中点Ｍとを結ぶ線分ＯＭの長さが０．７６〜０．９８であり、
点Ｏと点Ｐとを結ぶ線分ＯＰを４等分する各点を、点Ｏ側から点Ｐ１、点Ｐ２、点Ｐ３とし、
線分ＯＰ上の点Ｐ１、点Ｐ２、点Ｐ３からの垂直線が左側頬側床縁と交わる点を点Ｄ１、点Ｄ２、点Ｄ３とし、
点Ｏと点Ｑとを結ぶ線分ＯＱを４等分する各点を、点Ｏ側から点Ｑ１、点Ｑ２、点Ｑ３とし、
線分ＯＱ上の点Ｑ１、点Ｑ２、点Ｑ３からの垂直線が右側頬側床縁と交わる点を点Ｅ１、点Ｅ２、点Ｅ３とし、
線分Ｐ１Ｄ１及び線分Ｑ１Ｅ１の長さがそれぞれ０．１１〜０．３６、
線分Ｐ２Ｄ２及び線分Ｑ２Ｅ２の長さがそれぞれ０．１９〜０．４５、
線分Ｐ３Ｄ３及び線分Ｑ３Ｅ３の長さがそれぞれ０．１６〜０．４５
である上顎基準義歯床であって、
（ＶＩ）  線分ＯＰ上にあり点Ｏから０．３０の距離にある点Ｓ３と、左側頬側床縁と、を結ぶ線分ＯＰに対する垂直線上であって、点Ｓ３から左側頬側床縁側に０．２５の距離に中心点を有する半径０．１２の円内に左側上顎犬歯の尖頭を有し、
線分ＯＱ上にあり点Ｏから０．３０の距離にある点Ｔ３と、右側頬側床縁と、を結ぶ線分ＯＱに対する垂直線上であって、点Ｔ３から右側頬側床縁側に０．２５の距離に中心点を有する半径０．１２の円内に右側上顎犬歯の尖頭を有し、
（ＶＩＩ）  請求項１に記載の基準平面に対し、該基準平面から左側上顎犬歯の尖頭までの該基準平面に対する垂直距離Ｌ３及び右側上顎犬歯の尖頭までの該基準平面に対する垂直距離Ｒ３がいずれも０．１６〜０．２４であることを特徴とする上顎基準義歯床。
【請求項４】
以下の（Ｉ）乃至（ＶＩＩ）の全てを具備する上顎基準義歯床。
（Ｉ）  床後縁の左側翼突上顎切痕に相当する点Ｐと右側翼突上顎切痕に相当する点Ｑとを結ぶ線分ＰＱの長さを１とした場合、
唇側床縁の正中にあたる上唇小帯に相当する点Ｏと線分ＰＱの中点Ｍとを結ぶ線分ＯＭの長さが０．７６〜０．９８であり、
点Ｏと点Ｐとを結ぶ線分ＯＰを４等分する各点を、点Ｏ側から点Ｐ１、点Ｐ２、点Ｐ３とし、
線分ＯＰ上の点Ｐ１、点Ｐ２、点Ｐ３からの垂直線が左側頬側床縁と交わる点を点Ｄ１、点Ｄ２、点Ｄ３とし、
点Ｏと点Ｑとを結ぶ線分ＯＱを４等分する各点を、点Ｏ側から点Ｑ１、点Ｑ２、点Ｑ３とし、
線分ＯＱ上の点Ｑ１、点Ｑ２、点Ｑ３からの垂直線が右側頬側床縁と交わる点を点Ｅ１、点Ｅ２、点Ｅ３とし、
線分Ｐ１Ｄ１及び線分Ｑ１Ｅ１の長さがそれぞれ０．１１〜０．３６、
線分Ｐ２Ｄ２及び線分Ｑ２Ｅ２の長さがそれぞれ０．１９〜０．４５、
線分Ｐ３Ｄ３及び線分Ｑ３Ｅ３の長さがそれぞれ０．１６〜０．４５
である上顎基準義歯床であって、
（ＩＩ）  線分ＯＰ上にあり点Ｏから０．７４の距離にある点Ｓ６と、左側頬側床縁と、を結ぶ線分ＯＰに対する垂直線上であって、点Ｓ６から左側頬側床縁側に０．１１の距離に中心点を有する半径０．１４の円内に左側上顎第一大臼歯の中心窩を有し、
線分ＯＱ上にあり点Ｏから０．７４の距離にある点Ｔ６と、右側頬側床縁と、を結ぶ線分ＯＱに対する垂直線上であって、点Ｔ６から右側頬側床縁側に０．１１の距離に中心点を有する半径０．１４の円内に右側上顎第一大臼歯の中心窩を有し、
（ＩＩＩ）  左側上顎中切歯、右側上顎中切歯、左側上顎犬歯及び右側上顎犬歯の各歯における中央唇側面隆線と歯肉辺縁との交点を結ぶ平面を基準平面とした場合において、
該基準平面から左側上顎第一大臼歯の頬側遠心咬頭頂までの該基準平面に対する垂直距離Ｌ６及び右側上顎第一大臼歯の頬側遠心咬頭頂までの該基準平面に対する垂直距離Ｒ６がいずれも０．１６〜０．２４であることを特徴とする上顎基準義歯床。
（ＩＶ）  直線ＯＭ上であって点Ｍから唇側に０．７６〜１．１４の距離に左側上顎中切歯と右側上顎中切歯との歯間部を有し、
（Ｖ）  請求項１に記載の基準平面に対し、該基準平面から左側上顎中切歯の切縁中央までの該基準平面に対する垂直距離Ｌ１及び右側上顎中切歯の切縁中央までの該基準平面に対する垂直距離Ｒ１がいずれも０．１６〜０．２４であることを特徴とする上顎基準義歯床。
（ＶＩ）  線分ＯＰ上にあり点Ｏから０．３０の距離にある点Ｓ３と、左側頬側床縁と、を結ぶ線分ＯＰに対する垂直線上であって、点Ｓ３から左側頬側床縁側に０．２５の距離に中心点を有する半径０．１２の円内に左側上顎犬歯の尖頭を有し、
線分ＯＱ上にあり点Ｏから０．３０の距離にある点Ｔ３と、右側頬側床縁と、を結ぶ線分ＯＱに対する垂直線上であって、点Ｔ３から右側頬側床縁側に０．２５の距離に中心点を有する半径０．１２の円内に右側上顎犬歯の尖頭を有し、
（ＶＩＩ）  請求項１に記載の基準平面に対し、該基準平面から左側上顎犬歯の尖頭までの該基準平面に対する垂直距離Ｌ３及び右側上顎犬歯の尖頭までの該基準平面に対する垂直距離Ｒ３がいずれも０．１６〜０．２４であることを特徴とする上顎基準義歯床。
【請求項５】
請求項４に記載の上顎基準義歯床に、全歯列が配列されて成ることを特徴とする上顎基準義歯。
【請求項６】
（ｉ）  床後縁の左側臼後隆起に相当する点ｐと右側臼後隆起に相当する点ｑとを結ぶ線分ｐｑの長さを１とした場合、
唇側床縁の正中にあたる下唇小帯に相当する点ｏと線分ｐｑの中点ｍとを結ぶ線分ｏｍの長さが０．７６〜０．９４であり、
点ｏと点ｐとを結ぶ線分ｏｐを４等分する各点を、点ｏ側から点ｐ１、点ｐ２、点ｐ３とし、線分ｏｐ上の点ｐ１、点ｐ２、点ｐ３からの垂直線が左側頬側床縁と交わる点を点ｄ１、点ｄ２、点ｄ３とし、
点ｏと点ｑとを結ぶ線分ｏｑを４等分する各点を、点ｏ側から点ｑ１、点ｑ２、点ｑ３とし、線分ｏｑ上の点ｑ１、点ｑ２、点ｑ３からの垂直線が右側頬側床縁と交わる点を点ｅ１、点ｅ２、点ｅ３とし、
前記点ｐ１、点ｐ２及び点ｐ３からの線分ｏｐに対する垂直線が舌側床縁と交わる点をそれぞれ点ｂ１、点ｂ２及び点ｂ３とし、
前記点ｑ１、点ｑ２及び点ｑ３からの線分ｏｑに対する垂直線が舌側床縁と交わる点をそれぞれ点ｃ１、点ｃ２及び点ｃ３とした場合、
線分ｐ１ｄ１及び線分ｑ１ｅ１の長さがそれぞれ０．１１〜０．３２、
線分ｐ２ｄ２及び線分ｑ２ｅ２の長さがそれぞれ０．１３〜０．３４、
線分ｐ３ｄ３及び線分ｑ３ｅ３の長さがそれぞれ０．１４〜０．３３
であり、
線分ｄ１ｂ１の長さは、０．１４〜０．４０で、且つ線分ｐ１ｄ１の長さよりも長く、
線分ｅ１ｃ１の長さは、０．１４〜０．４０で、且つ線分ｑ１ｅ１の長さよりも長く、
線分ｄ２ｂ２の長さは、０．１９〜０．４１で、且つ線分ｐ２ｄ２の長さよりも長く、
線分ｅ２ｃ２の長さは、０．１９〜０．４１で、且つ線分ｑ２ｅ２の長さよりも長く、
線分ｄ３ｂ３の長さは、０．２１〜０．４２で、且つ線分ｐ３ｄ３の長さよりも長く、
線分ｅ３ｃ３の長さは、０．２１〜０．４２で、且つ線分ｑ３ｅ３の長さよりも長い下顎基準義歯床であって、
（ｉｉ）  線分ｏｐ上にあり点ｏから０．６５の距離にある点ｓ６と、左側頬側床縁と、を結ぶ線分ｏｐに対する垂直線上であって、点ｓ６から左側頬側床縁側に０．０８の距離に中心点を有する半径０．１２の円内に左側下顎第一大臼歯の中心窩を有し、
線分ｏｑ上にあり点ｏから０．６５の距離にある点ｔ６と、右側頬側床縁と、を結ぶ線分ｏｑに対する垂直線上であって、点ｔ６から右側頬側床縁側に０．０８の距離に中心点を有する半径０．１２の円内に右側下顎第一大臼歯の中心窩を有し、
（ｉｉｉ）  左側下顎中切歯、右側下顎中切歯、左側下顎犬歯及び右側下顎犬歯の各歯における中央唇側面隆線と歯肉辺縁との交点を結ぶ平面を基準平面とした場合において、
該基準平面から左側下顎第一大臼歯の頬側遠心咬頭頂までの該基準平面に対する垂直距離ｌ６及び右側下顎第一大臼歯の頬側遠心咬頭頂までの該基準平面に対する垂直距離ｒ６がいずれも０．１２〜０．２０であることを特徴とする下顎基準義歯床。
【請求項７】
（ｉ）  床後縁の左側臼後隆起に相当する点ｐと右側臼後隆起に相当する点ｑとを結ぶ線分ｐｑの長さを１とした場合、
唇側床縁の正中にあたる下唇小帯に相当する点ｏと線分ｐｑの中点ｍとを結ぶ線分ｏｍの長さが０．７６〜０．９４であり、
点ｏと点ｐとを結ぶ線分ｏｐを４等分する各点を、点ｏ側から点ｐ１、点ｐ２、点ｐ３とし、線分ｏｐ上の点ｐ１、点ｐ２、点ｐ３からの垂直線が左側頬側床縁と交わる点を点ｄ１、点ｄ２、点ｄ３とし、
点ｏと点ｑとを結ぶ線分ｏｑを４等分する各点を、点ｏ側から点ｑ１、点ｑ２、点ｑ３とし、線分ｏｑ上の点ｑ１、点ｑ２、点ｑ３からの垂直線が右側頬側床縁と交わる点を点ｅ１、点ｅ２、点ｅ３とし、
前記点ｐ１、点ｐ２及び点ｐ３からの線分ｏｐに対する垂直線が舌側床縁と交わる点をそれぞれ点ｂ１、点ｂ２及び点ｂ３とし、
前記点ｑ１、点ｑ２及び点ｑ３からの線分ｏｑに対する垂直線が舌側床縁と交わる点をそれぞれ点ｃ１、点ｃ２及び点ｃ３とした場合、
線分ｐ１ｄ１及び線分ｑ１ｅ１の長さがそれぞれ０．１１〜０．３２、
線分ｐ２ｄ２及び線分ｑ２ｅ２の長さがそれぞれ０．１３〜０．３４、
線分ｐ３ｄ３及び線分ｑ３ｅ３の長さがそれぞれ０．１４〜０．３３
であり、
線分ｄ１ｂ１の長さは、０．１４〜０．４０で、且つ線分ｐ１ｄ１の長さよりも長く、
線分ｅ１ｃ１の長さは、０．１４〜０．４０で、且つ線分ｑ１ｅ１の長さよりも長く、
線分ｄ２ｂ２の長さは、０．１９〜０．４１で、且つ線分ｐ２ｄ２の長さよりも長く、
線分ｅ２ｃ２の長さは、０．１９〜０．４１で、且つ線分ｑ２ｅ２の長さよりも長く、
線分ｄ３ｂ３の長さは、０．２１〜０．４２で、且つ線分ｐ３ｄ３の長さよりも長く、
線分ｅ３ｃ３の長さは、０．２１〜０．４２で、且つ線分ｑ３ｅ３の長さよりも長い下顎基準義歯床であって、
（ｉｖ）  直線ｏｍ上であって点ｍから唇側に０．７４〜０．９４の距離に左側下顎中切歯と右側下顎中切歯との歯間部を有し、
（ｖ）  請求項６に記載の基準平面に対し、該基準平面から左側下顎中切歯の切縁中央までの該基準平面に対する垂直距離ｌ１及び右側下顎中切歯の切縁中央までの該基準平面に対する垂直距離ｒ１がいずれも０．１２〜０．２０であることを特徴とする下顎基準義歯床。
【請求項８】
（ｉ）  床後縁の左側臼後隆起に相当する点ｐと右側臼後隆起に相当する点ｑとを結ぶ線分ｐｑの長さを１とした場合、
唇側床縁の正中にあたる下唇小帯に相当する点ｏと線分ｐｑの中点ｍとを結ぶ線分ｏｍの長さが０．７６〜０．９４であり、
点ｏと点ｐとを結ぶ線分ｏｐを４等分する各点を、点ｏ側から点ｐ１、点ｐ２、点ｐ３とし、線分ｏｐ上の点ｐ１、点ｐ２、点ｐ３からの垂直線が左側頬側床縁と交わる点を点ｄ１、点ｄ２、点ｄ３とし、
点ｏと点ｑとを結ぶ線分ｏｑを４等分する各点を、点ｏ側から点ｑ１、点ｑ２、点ｑ３とし、線分ｏｑ上の点ｑ１、点ｑ２、点ｑ３からの垂直線が右側頬側床縁と交わる点を点ｅ１、点ｅ２、点ｅ３とし、
前記点ｐ１、点ｐ２及び点ｐ３からの線分ｏｐに対する垂直線が舌側床縁と交わる点をそれぞれ点ｂ１、点ｂ２及び点ｂ３とし、
前記点ｑ１、点ｑ２及び点ｑ３からの線分ｏｑに対する垂直線が舌側床縁と交わる点をそれぞれ点ｃ１、点ｃ２及び点ｃ３とした場合、
線分ｐ１ｄ１及び線分ｑ１ｅ１の長さがそれぞれ０．１１〜０．３２、
線分ｐ２ｄ２及び線分ｑ２ｅ２の長さがそれぞれ０．１３〜０．３４、
線分ｐ３ｄ３及び線分ｑ３ｅ３の長さがそれぞれ０．１４〜０．３３
であり、
線分ｄ１ｂ１の長さは、０．１４〜０．４０で、且つ線分ｐ１ｄ１の長さよりも長く、
線分ｅ１ｃ１の長さは、０．１４〜０．４０で、且つ線分ｑ１ｅ１の長さよりも長く、
線分ｄ２ｂ２の長さは、０．１９〜０．４１で、且つ線分ｐ２ｄ２の長さよりも長く、
線分ｅ２ｃ２の長さは、０．１９〜０．４１で、且つ線分ｑ２ｅ２の長さよりも長く、
線分ｄ３ｂ３の長さは、０．２１〜０．４２で、且つ線分ｐ３ｄ３の長さよりも長く、
線分ｅ３ｃ３の長さは、０．２１〜０．４２で、且つ線分ｑ３ｅ３の長さよりも長い下顎基準義歯床であって、
（ｖｉ）  線分ｏｐ上にあり点ｏから０．２３の距離にある点ｓ３と、左側頬側床縁と、を結ぶ線分ｏｐに対する垂直線上であって、点ｓ３から左側頬側床縁側に０．１７の距離に中心点を有する半径０．１１の円内に左側下顎犬歯の尖頭を有し、
線分ｏｑ上にあり点ｏから０．２３の距離にある点ｔ３と、右側頬側床縁と、を結ぶ線分ｏｑに対する垂直線上であって、点ｔ３から右側頬側床縁側に０．１７の距離に中心点を有する半径０．１１の円内に右側下顎犬歯の尖頭を有し、
（ｖｉｉ）  請求項６に記載の基準平面に対し、該基準平面から左側下顎犬歯の尖頭までの該基準平面に対する垂直距離ｌ３及び右側下顎犬歯の尖頭までの該基準平面に対する垂直距離ｒ３がいずれも０．１２〜０．２０であることを特徴とする下顎基準義歯床。
【請求項９】
以下の（ｉ）乃至（ｖｉｉ）の全てを具備する下顎基準義歯床。
（ｉ）  床後縁の左側臼後隆起に相当する点ｐと右側臼後隆起に相当する点ｑとを結ぶ線分ｐｑの長さを１とした場合、
唇側床縁の正中にあたる下唇小帯に相当する点ｏと線分ｐｑの中点ｍとを結ぶ線分ｏｍの長さが０．７６〜０．９４であり、
点ｏと点ｐとを結ぶ線分ｏｐを４等分する各点を、点ｏ側から点ｐ１、点ｐ２、点ｐ３とし、線分ｏｐ上の点ｐ１、点ｐ２、点ｐ３からの垂直線が左側頬側床縁と交わる点を点ｄ１、点ｄ２、点ｄ３とし、
点ｏと点ｑとを結ぶ線分ｏｑを４等分する各点を、点ｏ側から点ｑ１、点ｑ２、点ｑ３とし、線分ｏｑ上の点ｑ１、点ｑ２、点ｑ３からの垂直線が右側頬側床縁と交わる点を点ｅ１、点ｅ２、点ｅ３とし、
前記点ｐ１、点ｐ２及び点ｐ３からの線分ｏｐに対する垂直線が舌側床縁と交わる点をそれぞれ点ｂ１、点ｂ２及び点ｂ３とし、
前記点ｑ１、点ｑ２及び点ｑ３からの線分ｏｑに対する垂直線が舌側床縁と交わる点をそれぞれ点ｃ１、点ｃ２及び点ｃ３とした場合、
線分ｐ１ｄ１及び線分ｑ１ｅ１の長さがそれぞれ０．１１〜０．３２、
線分ｐ２ｄ２及び線分ｑ２ｅ２の長さがそれぞれ０．１３〜０．３４、
線分ｐ３ｄ３及び線分ｑ３ｅ３の長さがそれぞれ０．１４〜０．３３
であり、
線分ｄ１ｂ１の長さは、０．１４〜０．４０で、且つ線分ｐ１ｄ１の長さよりも長く、
線分ｅ１ｃ１の長さは、０．１４〜０．４０で、且つ線分ｑ１ｅ１の長さよりも長く、
線分ｄ２ｂ２の長さは、０．１９〜０．４１で、且つ線分ｐ２ｄ２の長さよりも長く、
線分ｅ２ｃ２の長さは、０．１９〜０．４１で、且つ線分ｑ２ｅ２の長さよりも長く、
線分ｄ３ｂ３の長さは、０．２１〜０．４２で、且つ線分ｐ３ｄ３の長さよりも長く、
線分ｅ３ｃ３の長さは、０．２１〜０．４２で、且つ線分ｑ３ｅ３の長さよりも長い下顎基準義歯床であって、
（ｉｉ）  線分ｏｐ上にあり点ｏから０．６５の距離にある点ｓ６と、左側頬側床縁と、を結ぶ線分ｏｐに対する垂直線上であって、点ｓ６から左側頬側床縁側に０．０８の距離に中心点を有する半径０．１２の円内に左側下顎第一大臼歯の中心窩を有し、
線分ｏｑ上にあり点ｏから０．６５の距離にある点ｔ６と、右側頬側床縁と、を結ぶ線分ｏｑに対する垂直線上であって、点ｔ６から右側頬側床縁側に０．０８の距離に中心点を有する半径０．１２の円内に右側下顎第一大臼歯の中心窩を有し、
（ｉｉｉ）  左側下顎中切歯、右側下顎中切歯、左側下顎犬歯及び右側下顎犬歯の各歯における中央唇側面隆線と歯肉辺縁との交点を結ぶ平面を基準平面とした場合において、
該基準平面から左側下顎第一大臼歯の頬側遠心咬頭頂までの該基準平面に対する垂直距離ｌ６及び右側下顎第一大臼歯の頬側遠心咬頭頂までの該基準平面に対する垂直距離ｒ６がいずれも０．１２〜０．２０であることを特徴とする下顎基準義歯床。
（ｉｖ）  直線ｏｍ上であって点ｍから唇側に０．７４〜０．９４の距離に左側下顎中切歯と右側下顎中切歯との歯間部を有し、
（ｖ）  請求項６に記載の基準平面に対し、該基準平面から左側下顎中切歯の切縁中央までの該基準平面に対する垂直距離ｌ１及び右側下顎中切歯の切縁中央までの該基準平面に対する垂直距離ｒ１がいずれも０．１２〜０．２０であることを特徴とする下顎基準義歯床。
（ｖｉ）  線分ｏｐ上にあり点ｏから０．２３の距離にある点ｓ３と、左側頬側床縁と、を結ぶ線分ｏｐに対する垂直線上であって、点ｓ３から左側頬側床縁側に０．１７の距離に中心点を有する半径０．１１の円内に左側下顎犬歯の尖頭を有し、
線分ｏｑ上にあり点ｏから０．２３の距離にある点ｔ３と、右側頬側床縁と、を結ぶ線分ｏｑに対する垂直線上であって、点ｔ３から右側頬側床縁側に０．１７の距離に中心点を有する半径０．１１の円内に右側下顎犬歯の尖頭を有し、
（ｖｉｉ）  請求項６に記載の基準平面に対し、該基準平面から左側下顎犬歯の尖頭までの該基準平面に対する垂直距離ｌ３及び右側下顎犬歯の尖頭までの該基準平面に対する垂直距離ｒ３がいずれも０．１２〜０．２０であることを特徴とする下顎基準義歯床。
【請求項１０】
請求項９に記載の下顎基準義歯床に、全歯列が配列されて成ることを特徴とする下顎基準義歯。
【請求項１１】
請求項１乃至５のいずれか１項に記載の上顎基準義歯床又は上顎基準義歯と、
請求項６乃至１０のいずれか１項に記載の下顎基準義歯床又は下顎基準義歯と、
からなる義歯作製キット。
【請求項１２】
請求項１乃至５のいずれか１項に記載の上顎基準義歯床又は上顎基準義歯であってサイズが異なる複数の上顎基準義歯床又は上顎基準義歯及び／又は、
請求項６乃至１０のいずれか１項に記載の下顎基準義歯床又は下顎基準義歯であってサイズが異なる複数の下顎基準義歯床又は下顎基準義歯と、
からなる義歯作製キット。
【請求項１３】
請求項１乃至５のいずれか１項に記載の上顎基準義歯床又は上顎基準義歯であってサイズが異なる複数の上顎基準義歯床又は上顎基準義歯及び／又は、
請求項６乃至１０のいずれか１項に記載の下顎基準義歯床又は下顎基準義歯であってサイズが異なる複数の下顎基準義歯床又は下顎基準義歯と、
裏装材と、
からなる義歯作製キット。
【請求項１４】
請求項１２又は１３に記載の義歯作製キットから、患者の口のサイズに適合する上顎基準義歯床及び／又は下顎基準義歯床を選択する工程と、
前記上顎基準義歯床及び／又は下顎基準義歯床に人工歯を配列する工程と、
前記上顎基準義歯床及び／又は下顎基準義歯床に裏装材を築盛する工程と、
を有することを特徴とする義歯作製方法。
【発明の詳細な説明】
【技術分野】
【０００１】
本発明は、所定形状を有するとともに、人工歯が所定の高さで配列されて成る既製の基準義歯床及び基準義歯に関する。また、この基準義歯床及び基準義歯を含んで構成される義歯作製キットに関する。さらには、該義歯作製キットを用いる義歯作製方法に関する。
【背景技術】
【０００２】
従来、義歯は主として以下の手順により作製されている。
（１）印象材を用いて患者の口腔内の印象を採得する。
（２）該印象を用いて石膏模型を作製する。
（３）咬合床を患者に装着させて咬合を採得する。
（４）咬合床に人工歯を配列し、蝋義歯を作製する。
（５）蝋義歯を患者に試適させ、咬合を調整する。
（６）蝋義歯を石膏中に埋没して鋳型を作製する。
（７）鋳型に樹脂を注入、硬化させて義歯を作製する。
【０００３】
このように、義歯は患者の口腔形状に合わせて１つずつ手作業で作製されているため、多くの時間を必要とし、歯科医院、歯科技工所及び患者の負担が大きい。また、この義歯の作製方法は、複数回の転写工程を有しているため形状の誤差が生じ易い。さらには、歯科医師及び歯科技工士の技量により、品質が変動し易い。
【０００４】
特許文献１には、金型等を用いて量産された義歯床を用いる義歯の作製方法が開示されている。特許文献２には、可塑性である光重合性組成物からなる義歯床部材に、少なくとも一本の人工歯が配列する補綴義歯前駆体を用いる義歯の作製方法が開示されている。これらの方法は、一部の工程の簡略化が図れるものの、依然として石膏模型を作製する必要があるため、十分に簡略化されているとは言い難い。また、無歯顎者の口腔形状を基に作製される義歯床は、歯槽頂の吸収が患者毎に異なっているため、義歯床の形状を予め定めて量産化することが困難である。
【０００５】
従来の義歯作製方法は、歯槽頂間線法則に基づいて作製されるのが一般的であったが、前述のようにかかる義歯作製方法は、煩雑であることが問題であった。さらに、患者の高齢化が進んだ現代においては、上記方法で作製した義歯は歯槽骨の退縮が著しい場合、正常な咬合を得ることが困難となり、交叉咬合等の問題が生じていた。そこで、近年は、有歯顎時に歯列弓が存在していたとされる筋圧中立帯に合わせて義歯形状を定めるデンチャースペース理論に基づく義歯作製方法が提唱されている。しかし、デンチャースペース理論に基づく義歯作製方法を習得するためには多くの時間を要する。また、デンチャースペース理論に基づく義歯作製方法であっても、義歯作製方法自体は従来と同様に煩雑である。そのため、デンチャースペース理論に基づく義歯であって、簡易な方法で作製できる義歯が求められている。
【先行技術文献】
【特許文献】
【０００６】
【特許文献１】特開平６−６３０６５号公報
【特許文献２】特開平５−１９２３５３号公報
【発明の概要】
【発明が解決しようとする課題】
【０００７】
本発明の課題は、多くの患者に適合可能な既製の基準義歯床又は基準義歯であって、所定の形状の義歯床を有するとともに、人工歯の歯軸に垂直方向の長さ（高さ）が所定の範囲に規定されている基準義歯床又は基準義歯を提供することにある。また、この基準義歯床又は基準義歯から成る義歯作製キットを用いて義歯作製工程を簡略化し、義歯の作製時間を短縮することにある。
【課題を解決するための手段】
【０００８】
本発明者らは、前記課題を解決するため、有歯顎者及び無歯顎者の口腔形状を基に義歯の形状を定め、該形状に基づいて義歯を作製することに想到した。そして、この方法により所定の形状の基準義歯床を作製した。さらに、この基準義歯床の所定の位置に所定の高さで人工歯を配列した。このように作製される所定形状の基準義歯床又は基準義歯は、多くの無歯顎者に適用可能であることを見出した。さらには、この基準義歯床又は基準義歯を含んで構成される義歯作製キットを用いることにより、高い適合率を維持したまま、義歯作製工程を簡略化できることを見出し、本発明を完成するに至った。
【０００９】
上記課題を解決する本発明は以下に記載するとおりである。なお、本願明細書において、基準義歯床とは、既製の義歯床であって人工歯の全てが配列されていない義歯床をいう。従来のように、個別に患者の口腔形状の印象を採取してオーダーメイドで作製される義歯床とは異なり、本発明の基準義歯床は、有歯顎者の口腔形状を統計的に定めてデンチャースペース理論に基づいて作製される。そのため、数種類の基準義歯床を用意しておけば、裏装材を築盛し、人工歯を配列することにより、ほぼ全ての患者に対して適合率が高い義歯を作製でき、さらに歯槽頂の吸収が激しい難症例の患者にも適合できる。なお、本願明細書において、全歯列とは左側第二大臼歯から右側第二大臼歯までの１４歯を含む歯列をいう。
【００１０】
〔１〕  
（Ｉ）  床後縁の左側翼突上顎切痕に相当する点Ｐと右側翼突上顎切痕に相当する点Ｑとを結ぶ線分ＰＱの長さを１とした場合、
唇側床縁の正中にあたる上唇小帯に相当する点Ｏと線分ＰＱの中点Ｍとを結ぶ線分ＯＭの長さが０．７６〜０．９８であり、
点Ｏと点Ｐとを結ぶ線分ＯＰを４等分する各点を、点Ｏ側から点Ｐ１、点Ｐ２、点Ｐ３とし、
線分ＯＰ上の点Ｐ１、点Ｐ２、点Ｐ３からの垂直線が左側頬側床縁と交わる点を点Ｄ１、点Ｄ２、点Ｄ３とし、
点Ｏと点Ｑとを結ぶ線分ＯＱを４等分する各点を、点Ｏ側から点Ｑ１、点Ｑ２、点Ｑ３とし、
線分ＯＱ上の点Ｑ１、点Ｑ２、点Ｑ３からの垂直線が右側頬側床縁と交わる点を点Ｅ１、点Ｅ２、点Ｅ３とし、
線分Ｐ１Ｄ１及び線分Ｑ１Ｅ１の長さがそれぞれ０．１１〜０．３６、
線分Ｐ２Ｄ２及び線分Ｑ２Ｅ２の長さがそれぞれ０．１９〜０．４５、
線分Ｐ３Ｄ３及び線分Ｑ３Ｅ３の長さがそれぞれ０．１６〜０．４５
である上顎基準義歯床であって、
（ＩＩ）  線分ＯＰ上にあり点Ｏから０．７４の距離にある点Ｓ６と、左側頬側床縁と、を結ぶ線分ＯＰに対する垂直線上であって、点Ｓ６から左側頬側床縁側に０．１１の距離に中心点を有する半径０．１４の円内に左側上顎第一大臼歯（左上６番）の中心窩を有し、
線分ＯＱ上にあり点Ｏから０．７４の距離にある点Ｔ６と、右側頬側床縁と、を結ぶ線分ＯＱに対する垂直線上であって、点Ｔ６から右側頬側床縁側に０．１１の距離に中心点を有する半径０．１４の円内に右側上顎第一大臼歯（右上６番）の中心窩を有し、
（ＩＩＩ）  左側上顎中切歯（左上１番）、右側上顎中切歯（右上１番）、左側上顎犬歯（左上３番）及び右側上顎犬歯（右上３番）の各歯における中央唇側面隆線と歯肉辺縁との交点を結ぶ平面を基準平面とした場合において、
該基準平面から左側上顎第一大臼歯（左上６番）の頬側遠心咬頭頂までの該基準平面に対する垂直距離Ｌ６及び右側上顎第一大臼歯（右上６番）の頬側遠心咬頭頂までの該基準平面に対する垂直距離Ｒ６がいずれも０．１６〜０．２４であることを特徴とする上顎基準義歯床。
【００１１】
上記〔１〕に記載の発明は、義歯床の形状が（Ｉ）に規定する所定の形状であり、少なくとも左側上顎第一大臼歯（左上６番）及び右側上顎第一大臼歯（右上６番）が（ＩＩ）に規定する所定の位置及び（ＩＩＩ）に規定する所定の高さで配列されてなる上顎基準義歯床である。
【００１２】
〔２〕  
（Ｉ）  床後縁の左側翼突上顎切痕に相当する点Ｐと右側翼突上顎切痕に相当する点Ｑとを結ぶ線分ＰＱの長さを１とした場合、
唇側床縁の正中にあたる上唇小帯に相当する点Ｏと線分ＰＱの中点Ｍとを結ぶ線分ＯＭの長さが０．７６〜０．９８であり、
点Ｏと点Ｐとを結ぶ線分ＯＰを４等分する各点を、点Ｏ側から点Ｐ１、点Ｐ２、点Ｐ３とし、
線分ＯＰ上の点Ｐ１、点Ｐ２、点Ｐ３からの垂直線が左側頬側床縁と交わる点を点Ｄ１、点Ｄ２、点Ｄ３とし、
点Ｏと点Ｑとを結ぶ線分ＯＱを４等分する各点を、点Ｏ側から点Ｑ１、点Ｑ２、点Ｑ３とし、
線分ＯＱ上の点Ｑ１、点Ｑ２、点Ｑ３からの垂直線が右側頬側床縁と交わる点を点Ｅ１、点Ｅ２、点Ｅ３とし、
線分Ｐ１Ｄ１及び線分Ｑ１Ｅ１の長さがそれぞれ０．１１〜０．３６、
線分Ｐ２Ｄ２及び線分Ｑ２Ｅ２の長さがそれぞれ０．１９〜０．４５、
線分Ｐ３Ｄ３及び線分Ｑ３Ｅ３の長さがそれぞれ０．１６〜０．４５
である上顎基準義歯床であって、
（ＩＶ）  直線ＯＭ上であって点Ｍから唇側に０．７６〜１．１４の距離に左側上顎中切歯（左上１番）と右側上顎中切歯（右上１番）との歯間部を有し、
（Ｖ）  〔１〕に記載の基準平面に対し、該基準平面から左側上顎中切歯（左上１番）の切縁中央までの該基準平面に対する垂直距離Ｌ１及び右側上顎中切歯（右上１番）の切縁中央までの該基準平面に対する垂直距離Ｒ１がいずれも０．１６〜０．２４であることを特徴とする上顎基準義歯床。
【００１３】
上記〔２〕に記載の発明は、義歯床の形状が（Ｉ）に規定する所定の形状であり、少なくとも左側上顎中切歯（左上１番）及び右側上顎中切歯（右上１番）が（ＩＶ）に規定する所定の位置及び（Ｖ）に規定する所定の高さで配列されてなる上顎基準義歯床である。
【００１４】
〔３〕  
（Ｉ）  床後縁の左側翼突上顎切痕に相当する点Ｐと右側翼突上顎切痕に相当する点Ｑとを結ぶ線分ＰＱの長さを１とした場合、
唇側床縁の正中にあたる上唇小帯に相当する点Ｏと線分ＰＱの中点Ｍとを結ぶ線分ＯＭの長さが０．７６〜０．９８であり、
点Ｏと点Ｐとを結ぶ線分ＯＰを４等分する各点を、点Ｏ側から点Ｐ１、点Ｐ２、点Ｐ３とし、
線分ＯＰ上の点Ｐ１、点Ｐ２、点Ｐ３からの垂直線が左側頬側床縁と交わる点を点Ｄ１、点Ｄ２、点Ｄ３とし、
点Ｏと点Ｑとを結ぶ線分ＯＱを４等分する各点を、点Ｏ側から点Ｑ１、点Ｑ２、点Ｑ３とし、
線分ＯＱ上の点Ｑ１、点Ｑ２、点Ｑ３からの垂直線が右側頬側床縁と交わる点を点Ｅ１、点Ｅ２、点Ｅ３とし、
線分Ｐ１Ｄ１及び線分Ｑ１Ｅ１の長さがそれぞれ０．１１〜０．３６、
線分Ｐ２Ｄ２及び線分Ｑ２Ｅ２の長さがそれぞれ０．１９〜０．４５、
線分Ｐ３Ｄ３及び線分Ｑ３Ｅ３の長さがそれぞれ０．１６〜０．４５
である上顎基準義歯床であって、
（ＶＩ）  線分ＯＰ上にあり点Ｏから０．３０の距離にある点Ｓ３と、左側頬側床縁と、を結ぶ線分ＯＰに対する垂直線上であって、点Ｓ３から左側頬側床縁側に０．２５の距離に中心点を有する半径０．１２の円内に左側上顎犬歯（左上３番）の尖頭を有し、
線分ＯＱ上にあり点Ｏから０．３０の距離にある点Ｔ３と、右側頬側床縁と、を結ぶ線分ＯＱに対する垂直線上であって、点Ｔ３から右側頬側床縁側に０．２５の距離に中心点を有する半径０．１２の円内に右側上顎犬歯（右上３番）の尖頭を有し、
（ＶＩＩ）  〔１〕に記載の基準平面に対し、該基準平面から左側上顎犬歯（左上３番）の尖頭までの該基準平面に対する垂直距離Ｌ３及び右側上顎犬歯（右上３番）の尖頭までの該基準平面に対する垂直距離Ｒ３がいずれも０．１６〜０．２４であることを特徴とする上顎基準義歯床。
【００１５】
上記〔３〕に記載の発明は、義歯床の形状が（Ｉ）に規定する所定の形状であり、少なくとも左側上顎犬歯（左上３番）及び右側上顎犬歯（右上３番）が（ＶＩ）に規定する所定の位置及び（ＶＩＩ）に規定する所定の高さで配列されてなる上顎基準義歯床である。
【００１６】
〔４〕  前記（Ｉ）乃至（ＶＩＩ）の全てを具備する上顎基準義歯床。
【００１７】
上記〔４〕に記載の発明は、上記〔１〕乃至〔３〕に記載の全構成を具備する上顎基準義歯床である。
【００１８】
〔５〕  〔４〕に記載の上顎基準義歯床に、全歯列が配列されて成ることを特徴とする上顎基準義歯。
【００１９】
〔６〕  
（ｉ）  床後縁の左側臼後隆起に相当する点ｐと右側臼後隆起に相当する点ｑとを結ぶ線分ｐｑの長さを１とした場合、
唇側床縁の正中にあたる下唇小帯に相当する点ｏと線分ｐｑの中点ｍとを結ぶ線分ｏｍの長さが０．７６〜０．９４であり、
点ｏと点ｐとを結ぶ線分ｏｐを４等分する各点を、点ｏ側から点ｐ１、点ｐ２、点ｐ３とし、線分ｏｐ上の点ｐ１、点ｐ２、点ｐ３からの垂直線が左側頬側床縁と交わる点を点ｄ１、点ｄ２、点ｄ３とし、
点ｏと点ｑとを結ぶ線分ｏｑを４等分する各点を、点ｏ側から点ｑ１、点ｑ２、点ｑ３とし、線分ｏｑ上の点ｑ１、点ｑ２、点ｑ３からの垂直線が右側頬側床縁と交わる点を点ｅ１、点ｅ２、点ｅ３とし、
線分ｐ１ｄ１及び線分ｑ１ｅ１の長さがそれぞれ０．１１〜０．３２、
線分ｐ２ｄ２及び線分ｑ２ｅ２の長さがそれぞれ０．１３〜０．３４、
線分ｐ３ｄ３及び線分ｑ３ｅ３の長さがそれぞれ０．１４〜０．３３
であり、
直線ｄ１ｐ１、ｄ２ｐ２、ｄ３ｐ３及びｅ１ｑ１、ｅ２ｑ２、ｅ３ｑ３と、舌側床縁との交点をそれぞれ点ｂ１、点ｂ２、点ｂ３及び点ｃ１、点ｃ２、点ｃ３とし、
線分ｄ１ｂ１及び線分ｅ１ｃ１の長さがそれぞれ０．１４〜０．４０、
線分ｄ２ｂ２及び線分ｅ２ｃ２の長さがそれぞれ０．１９〜０．４１、
線分ｄ３ｂ３及び線分ｅ３ｃ３の長さがそれぞれ０．２１〜０．４２
である下顎基準義歯床であって、
（ｉｉ）  線分ｏｐ上にあり点ｏから０．６５の距離にある点ｓ６と、左側頬側床縁と、を結ぶ線分ｏｐに対する垂直線上であって、点ｓ６から左側頬側床縁側に０．０８の距離に中心点を有する半径０．１２の円内に左側下顎第一大臼歯（左下６番）の中心窩を有し、
線分ｏｑ上にあり点ｏから０．６５の距離にある点ｔ６と、右側頬側床縁と、を結ぶ線分ｏｑに対する垂直線上であって、点ｔ６から右側頬側床縁側に０．０８の距離に中心点を有する半径０．１２の円内に右側下顎第一大臼歯（右下６番）の中心窩を有し、
（ｉｉｉ）  左側下顎中切歯（左下１番）、右側下顎中切歯（右下１番）、左側下顎犬歯（左下３番）及び右側下顎犬歯（右下３番）の各歯における中央唇側面隆線と歯肉辺縁の交点とを結ぶ平面を基準平面とした場合において、
該基準平面から左側下顎第一大臼歯（左下６番）の頬側遠心咬頭頂までの該基準平面に対する垂直距離ｌ６及び右側下顎第一大臼歯（右下６番）の頬側遠心咬頭頂までの該基準平面に対する垂直距離ｒ６がいずれも０．１２〜０．２０であることを特徴とする下顎基準義歯床。
【００２０】
上記〔６〕に記載の発明は、義歯床の形状が（ｉ）に規定する所定の形状であり、少なくとも左側下顎第一大臼歯（左下６番）及び右側下顎第一大臼歯（右下６番）が（ｉｉ）に規定する所定の位置及び（ｉｉｉ）に規定する所定の高さで配列されてなる下顎基準義歯床である。
【００２１】
〔７〕
（ｉ）  床後縁の左側臼後隆起に相当する点ｐと右側臼後隆起に相当する点ｑとを結ぶ線分ｐｑの長さを１とした場合、
唇側床縁の正中にあたる下唇小帯に相当する点ｏと線分ｐｑの中点ｍとを結ぶ線分ｏｍの長さが０．７６〜０．９４であり、
点ｏと点ｐとを結ぶ線分ｏｐを４等分する各点を、点ｏ側から点ｐ１、点ｐ２、点ｐ３とし、線分ｏｐ上の点ｐ１、点ｐ２、点ｐ３からの垂直線が左側頬側床縁と交わる点を点ｄ１、点ｄ２、点ｄ３とし、
点ｏと点ｑとを結ぶ線分ｏｑを４等分する各点を、点ｏ側から点ｑ１、点ｑ２、点ｑ３とし、線分ｏｑ上の点ｑ１、点ｑ２、点ｑ３からの垂直線が右側頬側床縁と交わる点を点ｅ１、点ｅ２、点ｅ３とし、
線分ｐ１ｄ１及び線分ｑ１ｅ１の長さがそれぞれ０．１１〜０．３２、
線分ｐ２ｄ２及び線分ｑ２ｅ２の長さがそれぞれ０．１３〜０．３４、
線分ｐ３ｄ３及び線分ｑ３ｅ３の長さがそれぞれ０．１４〜０．３３
であり、
直線ｄ１ｐ１、ｄ２ｐ２、ｄ３ｐ３及びｅ１ｑ１、ｅ２ｑ２、ｅ３ｑ３と、舌側床縁との交点をそれぞれ点ｂ１、点ｂ２、点ｂ３及び点ｃ１、点ｃ２、点ｃ３とし、
線分ｄ１ｂ１及び線分ｅ１ｃ１の長さがそれぞれ０．１４〜０．４０、
線分ｄ２ｂ２及び線分ｅ２ｃ２の長さがそれぞれ０．１９〜０．４１、
線分ｄ３ｂ３及び線分ｅ３ｃ３の長さがそれぞれ０．２１〜０．４２
である下顎基準義歯床であって、
（ｉｖ）  直線ｏｍ上であって点ｍから唇側に０．７４〜０．９４の距離に左側下顎中切歯（左下１番）と右側下顎中切歯（右下１番）との歯間部を有し、
（ｖ）  〔６〕に記載の基準平面に対し、該基準平面から左側下顎中切歯（左下１番）の切縁中央までの該基準平面に対する垂直距離ｌ１及び右側下顎中切歯（右下１番）の切縁中央までの該基準平面に対する垂直距離ｒ１がいずれも０．１２〜０．２０であることを特徴とする下顎基準義歯床。
【００２２】
上記〔７〕に記載の発明は、義歯床の形状が（ｉ）に規定する所定の形状であり、少なくとも左側下顎中切歯（左下１番）及び右側下顎中切歯（右下１番）が（ｉｖ）に規定する所定の位置及び（ｖ）に規定する所定の高さで配列されてなる下顎基準義歯床である。
【００２３】
〔８〕
（ｉ）  床後縁の左側臼後隆起に相当する点ｐと右側臼後隆起に相当する点ｑとを結ぶ線分ｐｑの長さを１とした場合、
唇側床縁の正中にあたる下唇小帯に相当する点ｏと線分ｐｑの中点ｍとを結ぶ線分ｏｍの長さが０．７６〜０．９４であり、
点ｏと点ｐとを結ぶ線分ｏｐを４等分する各点を、点ｏ側から点ｐ１、点ｐ２、点ｐ３とし、線分ｏｐ上の点ｐ１、点ｐ２、点ｐ３からの垂直線が左側頬側床縁と交わる点を点ｄ１、点ｄ２、点ｄ３とし、
点ｏと点ｑとを結ぶ線分ｏｑを４等分する各点を、点ｏ側から点ｑ１、点ｑ２、点ｑ３とし、線分ｏｑ上の点ｑ１、点ｑ２、点ｑ３からの垂直線が右側頬側床縁と交わる点を点ｅ１、点ｅ２、点ｅ３とし、
線分ｐ１ｄ１及び線分ｑ１ｅ１の長さがそれぞれ０．１１〜０．３２、
線分ｐ２ｄ２及び線分ｑ２ｅ２の長さがそれぞれ０．１３〜０．３４、
線分ｐ３ｄ３及び線分ｑ３ｅ３の長さがそれぞれ０．１４〜０．３３
であり、
直線ｄ１ｐ１、ｄ２ｐ２、ｄ３ｐ３及びｅ１ｑ１、ｅ２ｑ２、ｅ３ｑ３と、舌側床縁との交点をそれぞれ点ｂ１、点ｂ２、点ｂ３及び点ｃ１、点ｃ２、点ｃ３とし、
線分ｄ１ｂ１及び線分ｅ１ｃ１の長さがそれぞれ０．１４〜０．４０、
線分ｄ２ｂ２及び線分ｅ２ｃ２の長さがそれぞれ０．１９〜０．４１、
線分ｄ３ｂ３及び線分ｅ３ｃ３の長さがそれぞれ０．２１〜０．４２
である下顎基準義歯床であって、
（ｖｉ）  線分ｏｐ上にあり点ｏから０．２３の距離にある点ｓ３と、左側頬側床縁と、を結ぶ線分ｏｐに対する垂直線上であって、点ｓ３から左側頬側床縁側に０．１７の距離に中心点を有する半径０．１１の円内に左側下顎犬歯（左下３番）の尖頭を有し、
線分ｏｑ上にあり点ｏから０．２３の距離にある点ｔ３と、右側頬側床縁と、を結ぶ線分ｏｑに対する垂直線上であって、点ｔ３から右側頬側床縁側に０．１７の距離に中心点を有する半径０．１１の円内に右側下顎犬歯（右下３番）の尖頭を有し、
（ｖｉｉ）  〔６〕に記載の基準平面に対し、該基準平面から左側下顎犬歯（左下３番）の尖頭までの該基準平面に対する垂直距離ｌ３及び右側下顎犬歯（右下３番）の尖頭までの該基準平面に対する垂直距離ｒ３がいずれも０．１２〜０．２０であることを特徴とする下顎基準義歯床。
【００２４】
上記〔８〕に記載の発明は、義歯床の形状が（ｉ）に規定する所定の形状であり、少なくとも左側下顎犬歯（左下３番）及び右側下顎犬歯（右下３番）が（ｖｉ）に規定する所定の位置及び（ｖｉｉ）に規定する所定の高さで配列されてなる下顎基準義歯床である。
【００２５】
〔９〕  前記（ｉ）乃至（ｖｉｉ）の全てを具備する下顎基準義歯床。
【００２６】
上記〔９〕に記載の発明は、上記〔６〕乃至〔８〕に記載の全構成を具備する下顎基準義歯床である。
【００２７】
〔１０〕  〔９〕に記載の下顎基準義歯床に、全歯列が配列されて成ることを特徴とする下顎基準義歯。
【００２８】
〔１１〕  〔１〕乃至〔５〕の何れかに記載の上顎基準義歯床又は上顎基準義歯と、
〔６〕乃至〔１０〕の何れかに記載の下顎基準義歯床又は下顎基準義歯と、
からなる義歯作製キット。
【００２９】
上記〔１１〕に記載の発明は、上顎用及び下顎用の基準義歯床又は基準義歯から成る義歯作製キットである。
【００３０】
〔１２〕  〔１〕乃至〔５〕の何れかに記載の上顎基準義歯床又は上顎基準義歯であってサイズが異なる複数の上顎基準義歯床又は上顎基準義歯及び／又は、
〔６〕乃至〔１０〕の何れかに記載の下顎基準義歯床又は下顎基準義歯であってサイズが異なる複数の下顎基準義歯床又は下顎基準義歯と、
からなる義歯作製キット。
【００３１】
上記〔１２〕に記載の発明は、複数サイズの上顎用及び下顎用の基準義歯床又は基準義歯が用意されている義歯作製キットである。
【００３２】
〔１３〕  〔１〕乃至〔５〕の何れかに記載の上顎基準義歯床又は上顎基準義歯であってサイズが異なる複数の上顎基準義歯床又は上顎基準義歯及び／又は、
〔６〕乃至〔１０〕の何れかに記載の下顎基準義歯床又は下顎基準義歯であってサイズが異なる複数の下顎基準義歯床又は下顎基準義歯と、
裏装材と、
からなる義歯作製キット。
【００３３】
上記〔１３〕に記載の発明は、〔１２〕に記載の義歯作製キットに裏装材をさらに含む。
【００３４】
〔１４〕  〔１２〕又は〔１３〕に記載の義歯作製キットから、患者の口のサイズに適合する上顎基準義歯床及び／又は下顎基準義歯床を選択する工程と、
前記上顎基準義歯床及び／又は下顎基準義歯床に人工歯を配列する工程と、
前記上顎基準義歯床及び／又は下顎基準義歯床に裏装材を築盛する工程と、
を有することを特徴とする義歯作製方法。
【００３５】
上記〔１４〕に記載の発明は、基準義歯床のサイズを選択した後、この基準義歯床に人工歯を配列する義歯作製方法である。
【発明の効果】
【００３６】
本発明の基準義歯床又は基準義歯は、所定形状を有しているため、裏装材を築盛するだけで容易に患者の口腔形状に適合させることができる。即ち、従来の義歯作製の工程において、既製化された義歯床を用いることによって、義歯の作製時間を短縮することができる。また、本発明の基準義歯床は、所定の位置に一部の人工歯が配列されているため、人工歯の配列時間を短縮することができる。これにより、歯科医師、歯科技工士及び患者の負担を大幅に低減することができる。さらに、本発明の基準義歯床又は基準義歯は、人工歯が所定の高さで配列されているため、得られる義歯の咬合力を十分に高くすることができる。
【００３７】
本発明の基準義歯床又は基準義歯は、有歯顎者の口腔形状を統計的に定めてデンチャースペース理論に基づいて作製されているため、数種類の基準義歯床又は基準義歯を用意しておけば、ほぼ全ての患者に対して適合率の高い義歯を作製できる。また、歯槽頂の吸収が激しい難症例の患者にも適合できる。
【図面の簡単な説明】
【００３８】
【図１】図１（ａ）、図１（ｂ）は、義歯を患者に装着した状態を示す説明図である。
【図２】図２は、上顎基準義歯床の形状を示す平面図である。
【図３】図３は、上顎基準義歯床に配列されている人工歯の位置を示す平面図である。
【図４】図４は、上顎用義歯の一例を示す平面図である。
【図５】図５は、上顎基準義歯に配列されている人工歯の高さを説明する平面図である。
【図６】図６は、下顎基準義歯床の形状を示す平面図である。
【図７】図７は、下顎基準義歯床に配列されている人工歯の位置を示す平面図である。
【図８】図８は、下顎用義歯の一例を示す平面図である。
【図９】図９は、下顎基準義歯に配列されている人工歯の高さを説明する平面図である。
【図１０】図１０は、実施例で用いた山本の咬度表である。
【図１１】図１１（ａ）は、義歯を患者に装着した状態における人工歯の高さを示す左側の説明図であり、図１１（ｂ）は、義歯を患者に装着した状態における人工歯の高さを示す右側の説明図である。
【発明を実施するための形態】
【００３９】
以下、図面を参照しながら本発明を詳細に説明する。
【００４０】
図１（ａ）及び図１（ｂ）は、本発明の義歯作製キットにより作製された義歯を患者に装着した状態を示す説明図である。図１（ａ）及び図１（ｂ）中、１００は上顎基準義歯床で、２００は下顎基準義歯床である（以下、これらを単に「基準義歯床」ともいう。）。１０１は人工歯であり、基準義歯床に全ての歯列が配列されると義歯が完成される。
【００４１】
図１（ａ）及び図１（ｂ）中、点Ｏは、唇側床縁の正中にあたる上唇小帯に相当する点であり、点Ｐは、床後縁の左側翼突上顎切痕に相当する点である。上顎基準義歯床１００の左側頬側床縁５０は、点Ｄ１〜Ｄ３を有している（後述）。点ｏは、唇側床縁の正中にあたる下唇小帯に相当する点である。点ｐは、床後縁の左側臼後隆起に相当する点である。下顎基準義歯床２００の左側頬側床縁５２は、点ｄ１〜ｄ３を有している（後述）。本発明の基準義歯床は、これらの点の相対的な位置関係が所定範囲にある。また、基準義歯床の所定の位置及び高さに、少なくとも第一大臼歯、中切歯又は犬歯の何れか一対が予め配列されていることを特徴としている。
【００４２】
（上顎基準義歯床）
図２は、本発明の上顎基準義歯床１００の形状の一例を示す平面図である。図２中、点Ｏは、唇側床縁の正中にあたる上唇小帯に相当する点である。点Ｐは、床後縁の左側翼突上顎切痕に相当する点であり、点Ｑは、床後縁の右側翼突上顎切痕に相当する点である。点Ｍは、点Ｐと点Ｑとを結ぶ線分ＰＱの中点である。この基準義歯床は、線分ＰＱの長さを１としたとき、点Ｏと点Ｍとを結ぶ線分ＯＭの長さが、０．７６〜０．９８の範囲にあり、０．８１〜０．９３の範囲にあることが好ましく、０．８６〜０．８８の範囲にあることがより好ましい。この形状を有する上顎基準義歯床は、裏装材を築盛することによって、多くの無歯顎者に適合させることができる。なお、上顎基準義歯床の左右は、患者に装着した際における左右であり、紙面における右左と反転している。
【００４３】
図２中、点Ｐ１〜Ｐ３は、線分ＯＰを４等分する点である。即ち、線分ＯＰ１、線分Ｐ１Ｐ２、線分Ｐ２Ｐ３、線分Ｐ３Ｐの長さは等しい。点Ｄ１〜Ｄ３は、点Ｐ１〜Ｐ３の各点それぞれからの線分ＯＰに対する垂直線が左側頬側床縁５０と交わる点である。点Ｑ１〜Ｑ３は、線分ＯＱを４等分する点である。即ち、線分ＯＱ１、線分Ｑ１Ｑ２、線分Ｑ２Ｑ３、線分Ｑ３Ｑの長さは等しい。点Ｅ１〜Ｅ３は、点Ｑ１〜Ｑ３の各点それぞれからの線分ＯＱに対する垂直線が右側頬側床縁５１と交わる点である。
【００４４】
本発明の上顎基準義歯床の形状は、線分ＰＱの長さを１としたとき、線分Ｐ１Ｄ１及び線分Ｑ１Ｅ１の長さは、それぞれ０．１１〜０．３６の範囲であり、０．１６〜０．３１の範囲であることが好ましく、０．２１〜０．２６の範囲であることが特に好ましい。また、線分Ｐ２Ｄ２及び線分Ｑ２Ｅ２の長さは、それぞれ０．１９〜０．４５の範囲であり、０．２４〜０．４０の範囲であることが好ましく、０．２９〜０．３５の範囲であることが特に好ましい。さらに、線分Ｐ３Ｄ３及び線分Ｑ３Ｅ３の長さは、それぞれ０．１６〜０．４５の範囲であり、０．２１〜０．４０の範囲であることが好ましく、０．２６〜０．３５の範囲であることが特に好ましい。この形状を有する上顎基準義歯床は、さらに高い適合率で無歯顎者に適合させることができる。
【００４５】
図３は、本発明の上顎基準義歯床に配列されている人工歯の位置を示す説明図である。図４は、本発明の上顎基準義歯床に全ての人工歯が配列されてなる上顎基準義歯の一例を示す平面図である。図４中、１１は上顎中切歯（１番）であり、１１ａは左側上顎中切歯と右側上顎中切歯との歯間部である。１２は上顎側切歯（２番）、１３は上顎犬歯（３番）、１４は上顎第一小臼歯（４番）、１５は上顎第二小臼歯（５番）、１６は上顎第一大臼歯（６番）、１７は上顎第二大臼歯（７番）である。１６ａは下顎第一大臼歯の中心窩である。
【００４６】
（上顎基準義歯床における人工歯の配列位置）
（ａ）左側上顎第一大臼歯（左上６番）の配列位置
点Ｓ６は、線分ＰＱの長さを１とし、線分ＯＰ上にあり、点Ｏから０．７４の距離にある。点Ｔ６は、線分ＰＱの長さを１とし、線分ＯＱ上にあり、点Ｏから０．７４の距離にある。左側上顎第一大臼歯は、点Ｓ６から左側頬側床縁５０側への線分ＯＰに対する垂直線上であって点Ｓ６から左側頬側床縁５０側に０．１１の距離に中心点を有する半径０．１４の円内に、左側上顎第一大臼歯の中心窩が位置するように配列されることが好ましく、半径０．０８の円内であることが特に好ましい。
【００４７】
（ｂ）右側上顎第一大臼歯（右上６番）の配列位置
同様に、右側上顎第一大臼歯は、点Ｔ６から右側頬側床縁５１側への線分ＯＱに対する垂直線上であって点Ｔ６から右側頬側床縁５１側に０．１１の距離に中心点を有する半径０．１４の円内に、右側上顎第一大臼歯の中心窩が位置するように配列されることが好ましく、半径０．０８の円内であることが特に好ましい。
【００４８】
（ｃ）上顎中切歯（上１番）の配列位置
上顎中切歯は、直線ＯＭ上であって点Ｍから唇側に０．７６〜１．１４の距離に左側上顎中切歯と右側上顎中切歯との歯間部を有するように配列される。
左側上顎中切歯は、線分ＰＱの長さを１とし、直線ＯＭ上にあって点Ｍから唇側に０．７６〜１．１４の距離にある点Ｕ１に円周が接するとともに、点Ｕ１において直線ＯＭと直交する直線上であって左側頬側床縁５０側に中心点を有する直径０．１７の円内に、左側中切歯の中央の切縁結節が位置するように配列されることが好ましく、点Ｍから点Ｕ１が０．８６〜１．０４の距離であることがより好ましく、０．９１〜０．９９の距離であることが特に好ましい。
同様に、右側中切歯は、直線ＯＭ上にあって点Ｍから唇側に０．７６〜１．１４の距離にある点Ｕ１に円周が接するとともに、点Ｕ１において直線ＯＭと直交する直線上であって右側頬側床縁５１側に中心点を有する直径０．１７の円内に、右側中切歯の中央の切縁結節が位置するように配列されることが好ましく、点Ｍから点Ｕ１が０．８６〜１．０４の距離であることがより好ましく、０．９１〜０．９９の距離であることが特に好ましい。また、左側上顎中切歯と右側上顎中切歯とは、直線ＯＭに対して左右対称に配列されていることが好ましい。
【００４９】
（ｄ）左側上顎犬歯（左上３番）の配列位置
点Ｓ３は、線分ＰＱの長さを１とし、線分ＯＰ上にあり、点Ｏから０．３０の距離にある。点Ｔ３は、線分ＰＱの長さを１とし、線分ＯＱ上にあり、点Ｏから０．３０の距離にある。左側上顎犬歯は、点Ｓ３から左側頬側床縁５０側への線分ＯＰに対する垂直線上であって点Ｓ３から左側頬側床縁５０側に０．２５の距離に中心点を有する半径０．１２の円内に、左側上顎犬歯の尖頭が位置するように配列されることが好ましく、半径０．０７の円内であることが特に好ましい。
【００５０】
（ｅ）右側上顎犬歯（右上３番）の配列位置
同様に、右側上顎犬歯は、点Ｔ３から右側頬側床縁５１側への線分ＯＱに対する垂直線上であって点Ｔ３から右側頬側床縁５１側に０．２５の距離に中心点を有する半径０．１２の円内に、右側上顎犬歯の尖頭が位置するように配列されることが好ましく、半径０．０７の円内であることが特に好ましい。
【００５１】
（ｆ）人工歯の配列高さ
図１（ａ）中、１１ｂは左側上顎中切歯（左上１番）であり、１１ｃは左側上顎中切歯（左上１番）の中央唇側面隆線である。１１ｄは左側上顎中切歯（左上１番）の中央唇側面隆線１１ｃと歯肉辺縁との交点である。１３ｃは左側上顎犬歯（左上３番）の中央唇側面隆線であり、１３ｄは左側上顎犬歯（左上３番）の中央唇側面隆線１３ｃと歯肉辺縁との交点である。図５は、本発明の上顎基準義歯床に配列されている人工歯の配列高さを示す説明図である。図５中、１１ｂは左側上顎中切歯（左上１番）であり、１１ｄは左側上顎中切歯（左上１番）の中央唇側面隆線と歯肉辺縁との交点である。１１ｆは右側上顎中切歯（右上１番）であり、１１ｈは右側上顎中切歯（右上１番）の中央唇側面隆線と歯肉辺縁との交点である。１３ｂは左側上顎犬歯（左上３番）であり、１３ｄは左側上顎犬歯（左上３番）の中央唇側面隆線と歯肉辺縁との交点である。１３ｆは右側上顎犬歯（右上３番）であり、１３ｈは右側上顎犬歯（右上３番）の中央唇側面隆線と歯肉辺縁との交点である。本発明においては、各歯における中央唇側面隆線と歯肉辺縁との交点１１ｄ、１１ｈ、１３ｄ、１３ｈを結んで成る平面を基準平面１８と定義する。
【００５２】
図５中、１６ｂは左側上顎第一大臼歯（左上６番）であり、１６ｃは左側上顎第一大臼歯（左上６番）の頬側遠心咬頭頂である。１６ｄは右側上顎第一大臼歯（右上６番）であり、１６ｅは右側上顎第一大臼歯（右上６番）の頬側遠心咬頭頂である。
図３における線分ＰＱの長さを１とした場合、基準平面１８から頬側遠心咬頭頂１６ｃまでの該基準平面１８に対する垂直距離Ｌ６、及び基準平面１８から頬側遠心咬頭頂１６ｅまでの該基準平面１８に対する垂直距離Ｒ６は、それぞれ０．１６〜０．２４であり、０．１８〜０．２２であることが好ましい（図１１参照）。０．１６〜０．２４の範囲外の場合、咬合力が低下する。
【００５３】
図５中、１１ｂは左側上顎中切歯（左上１番）であり、１１ｅは左側上顎中切歯（左上１番）の切縁中央である。１１ｆは右側上顎中切歯（右上１番）であり、１１ｉは右側上顎中切歯（右上１番）の切縁中央である。
図３における線分ＰＱの長さを１とした場合、基準平面１８から左側上顎中切歯（左上１番）の切縁中央１１ｅまでの該基準平面１８に対する垂直距離Ｌ１、及び基準平面１８から右側上顎中切歯（右上１番）の切縁中央１１ｉまでの該基準平面１８に対する垂直距離Ｒ１は、それぞれ０．１６〜０．２４であり、０．１８〜０．２２であることが好ましい（図１１参照）。０．１６〜０．２４の範囲外の場合、咬合力が低下する。
【００５４】
図５中、１３ｂは左側上顎犬歯（左上３番）であり、１３ｅは左側上顎犬歯（左上３番）の尖頭である。１３ｆは右側上顎犬歯（右上３番）であり、１３ｉは右側上顎犬歯（右上３番）の尖頭である。
図３における線分ＰＱの長さを１とした場合、基準平面１８から左側上顎犬歯（左上３番）の尖頭１３ｅまでの該基準平面１８に対する垂直距離Ｌ３、及び基準平面１８から右側上顎犬歯（右上３番）の尖頭１３ｉまでの該基準平面１８に対する垂直距離Ｒ３は、それぞれ０．１６〜０．２４であり、０．１８〜０．２２であることが好ましい（図１１参照）。０．１６〜０．２４の範囲外の場合、咬合力が低下する。
【００５５】
（下顎基準義歯床）
図６は、本発明の下顎基準義歯床２００の形状の一例を示す平面図である。図６中、点ｏは、唇側床縁の正中にあたる下唇小帯に相当する点である。点ｐは、床後縁の左側臼後隆起に相当する点であり、点ｑは、床後縁の右側臼後隆起に相当する点である。点ｍは、点ｐと点ｑとを結ぶ線分ｐｑの中点である。この下顎基準義歯床は、線分ｐｑの長さを１としたとき、点ｏと点ｍとを結ぶ線分ｏｍの長さが、０．７６〜０．９４の範囲にあり、０．８０〜０．９０の範囲にあることが好ましく、０．８４〜０．８６の範囲にあることがより好ましい。この形状を有する下顎基準義歯床は、裏装材を築盛することによって、多くの無歯顎者に適合させることができる。
【００５６】
図６中、点ｐ１〜ｐ３は、線分ｏｐを４等分する点である。即ち、線分ｏｐ１、線分ｐ１ｐ２、線分ｐ２ｐ３、線分ｐ３ｐの長さは等しい。点ｄ１〜ｄ３は、点ｐ１〜ｐ３の各点それぞれからの線分ｏｐに対する垂直線が左側頬側床縁５２と交わる点である。点ｑ１〜ｑ３は、線分ｏｑを４等分する点である。即ち、線分ｏｑ１、線分ｑ１ｑ２、線分ｑ２ｑ３、線分ｑ３ｑの長さは等しい。点ｅ１〜ｅ３は、点ｑ１〜ｑ３の各点それぞれからの線分ｏｑに対する垂直線が右側頬側床縁５３と交わる点である。
【００５７】
本発明の下顎基準義歯床は、線分ｐｑの長さを１としたとき、線分ｐ１ｄ１及び線分ｑ１ｅ１の長さは、それぞれ０．１１〜０．３２の範囲であり、０．１５〜０．２８の範囲であることが好ましく、０．１９〜０．２４の範囲であることが特に好ましい。また、線分ｐ２ｄ２及び線分ｑ２ｅ２の長さは、それぞれ０．１３〜０．３４の範囲であり、０．１７〜０．３０の範囲であることが好ましく、０．２１〜０．２６の範囲であることが特に好ましい。さらに、線分ｐ３ｄ３及び線分ｑ３ｅ３の長さは、それぞれ０．１４〜０．３３の範囲であり、０．１８〜０．２９の範囲であることが好ましく、０．２２〜０．２５の範囲であることが特に好ましい。この形状を有する下顎基準義歯床は、より高い適合率で無歯顎者に適合させることができる。
【００５８】
図６中、点ｂ１〜ｂ３は、点ｐ１〜ｐ３の各点それぞれからの線分ｏｐに対する垂直線が舌側床縁と交わる点である。点ｃ１〜ｃ３は、点ｑ１〜ｑ３の各点それぞれからの線分ｏｑに対する垂直線が舌側床縁と交わる点である。
【００５９】
本発明の下顎基準義歯床は、線分ｐｑの長さを１としたとき、線分ｄ１ｂ１及び線分ｅ１ｃ１の長さは、それぞれ０．１４〜０．４０の範囲であり、０．１９〜０．３５の範囲であることが好ましく、０．２４〜０．３０の範囲であることが特に好ましい。また、線分ｄ２ｂ２及び線分ｅ２ｃ２の長さは、それぞれ０．１９〜０．４１の範囲であり、０．２４〜０．３６の範囲であることが好ましく、０．２９〜０．３１の範囲であることが特に好ましい。さらに、線分ｄ３ｂ３及び線分ｅ３ｃ３の長さは、それぞれ０．２１〜０．４２の範囲であり、０．２５〜０．３８の範囲であることが好ましく、０．３０〜０．３４の範囲であることが特に好ましい。この形状を有する下顎基準義歯床は、さらに高い適合率で無歯顎者に適合させることができる。
【００６０】
図７は、本発明の下顎基準義歯床に配列される人工歯の位置を示す説明図である。図８は、本発明の下顎基準義歯床に全ての人工歯が配列されてなる下顎基準義歯の一例を示す平面図である。図８中、２１は下顎中切歯であり、２１ａは左側下顎中切歯と右側下顎中切歯との歯間部である。２２は下顎側切歯、２３は下顎犬歯、２４は下顎第一小臼歯、２５は下顎第二小臼歯、２６は下顎第一大臼歯、２７は下顎第二大臼歯である。２６ａは下顎第一大臼歯の中心窩である。
【００６１】
（下顎基準義歯床における人工歯の配列位置）
（ｇ）左側下顎第一大臼歯の配列位置
点ｓ６は、線分ｐｑの長さを１とし、線分ｏｐ上にあり、点ｏから０．６５の距離にある。点ｔ６は、線分ｐｑの長さを１とし、線分ｏｑ上にあり、点ｏから０．６５の距離にある。左側下顎第一大臼歯（左下６番）は、点ｓ６から左側頬側床縁５２側への線分ｏｐに対する垂直線上であって点ｓ６から左側頬側床縁５２側に０．０８の距離に中心点を有する半径０．１２の円内に、左側第一大臼歯の中心窩が位置するように配列されることが好ましく、半径０．０８の円内であることが特に好ましい。
（ｈ）右側下顎第一大臼歯の配列位置
同様に、右側下顎第一大臼歯（右下６番）は、点ｔ６から右側頬側床縁５３側への線分ｏｑに対する垂直線上であって点ｔ６から右側頬側床縁５３側に０．０８の距離に中心点を有する半径０．１２の円内に、右側下顎第一大臼歯の中心窩が位置するように配列されていることが好ましく、半径０．０８の円内であることが特に好ましい。
【００６２】
（ｉ）下顎中切歯の配列位置
下顎中切歯は、直線ｏｍ上であって点ｍから唇側に０．７４〜０．９４の距離に左側下顎中切歯と右側下顎中切歯との歯間部を有するように配列される。
左側下顎中切歯（左下１番）は、線分ｐｑの長さを１とし、直線ｏｍ上にあって点ｍから唇側に０．７４〜０．９４の距離にある点ｕ１に円周が接するとともに、点ｕ１において直線ｏｍと直交する直線上であって左側頬側床縁５２側に中心点を有する直径０．１２の円内に左側中切歯の中央の切縁結節が位置するように配列されていることが好ましく、点ｍから点ｕ１が０．７９〜０．８９の距離であることがより好ましく、０．８３〜０．８５の距離であることが特に好ましい。
同様に、右側下顎中切歯（右下１番）は、線分ｐｑの長さを１とし、直線ｏｍ上にあって点ｍから唇側に０．７４〜０．９４の距離にある点ｕ１に円周が接するとともに、点ｕ１において直線ｏｍと直交する直線上であって右側頬側床縁５３側に中心点を有する直径０．１２の円内に右側中切歯の中央の切縁結節が位置するように配列されていることが好ましく、点ｍから点ｕ１が０．７９〜０．８９の距離であることがより好ましく、０．８３〜０．８５の距離であることが特に好ましい。
また、左側下顎中切歯と右側下顎中切歯とは、直線ｏｍに対して左右対称に配列されていることが好ましい。
【００６３】
（ｊ）左側下顎犬歯の配列位置
点ｓ３は、線分ｐｑの長さを１とし、線分ｏｐ上にあり、点ｏから０．２３の距離にある。点ｔ３は、線分ｐｑの長さを１とし、線分ｏｑ上にあり、点ｏから０．２３の距離にある。左側下顎犬歯（左下３番）は、点ｓ３から左側頬側床縁５２側への線分ｏｐに対する垂直線上であって点ｓ３から左側頬側床縁５２側に０．１７の距離に中心点を有する半径０．１１の円内に、左側下顎犬歯の尖頭が位置するように配列されていることが好ましく、半径０．０８の円内であることが特に好ましい。
【００６４】
（ｋ）右側下顎犬歯の位置
同様に、右側下顎犬歯（右下３番）は、点ｔ３から右側頬側床縁５３側への線分ｏｑに対する垂直線上であって点ｔ３から右側頬側床縁５３側に０．１７の距離に中心点を有する半径０．１１の円内に、右側下顎犬歯の尖頭が位置するように配列されていることが好ましく、半径０．０８の円内であることが特に好ましい。
【００６５】
（ｌ）人工歯の配列高さ
図１（ｂ）中、２１ｂは左側下顎中切歯（左下１番）であり、２１ｃは左側下顎中切歯（左下１番）の中央唇側面隆線である。２１ｄは左側下顎中切歯（左下１番）の中央唇側面隆線２１ｃと歯肉辺縁との交点である。２３ｃは左側下顎犬歯（左下３番）の中央唇側面隆線であり、２３ｄは左側下顎犬歯（左下３番）の中央唇側面隆線２３ｃと歯肉辺縁との交点である。図９は、本発明の下顎基準義歯床に配列されている人工歯の配列高さを示す説明図である。図９中、２１ｂは左側下顎中切歯（左下１番）であり、２１ｄは左側下顎中切歯（左下１番）の中央唇側面隆線と歯肉辺縁との交点である。２１ｆは右側下顎中切歯（右下１番）であり、２１ｈは右側下顎中切歯（右下１番）の中央唇側面隆線と歯肉辺縁との交点である。２３ｂは左側下顎犬歯（左下３番）であり、２３ｄは左側下顎犬歯（左下３番）の中央唇側面隆線と歯肉辺縁との交点である。２３ｆは右側下顎犬歯（右下３番）であり、２３ｈは右側下顎犬歯（右下３番）の中央唇側面隆線と歯肉辺縁との交点である。本発明においては、各歯における中央唇側面隆線と歯肉辺縁の交点２１ｄ、２１ｈ、２３ｄ、２３ｈを結んで成る平面を基準平面２８と定義する。
【００６６】
図９中、２６ｂは左側下顎第一大臼歯（左下６番）であり、２６ｃは左側下顎第一大臼歯（左下６番）の頬側遠心咬頭頂である。２６ｄは右側下顎第一大臼歯（右下６番）であり、２６ｅは右側下顎第一大臼歯（右下６番）の頬側遠心咬頭頂である。
図６における線分ｐｑの長さを１とした場合、基準平面２８から頬側遠心咬頭頂２６ｃまでの該基準平面２８に対する垂直距離ｌ６（エル６）、及び基準平面２８から頬側遠心咬頭頂２６ｅまでの該基準平面２８に対する垂直距離ｒ６は、それぞれ０．１２〜０．２０であり、０．１４〜０．１８であることが好ましい（図１１参照）。０．１２〜０．２０の範囲外の場合、咬合力が低下する。
【００６７】
図９中、２１ｂは左側下顎中切歯（左下１番）であり、２１ｅは左側下顎中切歯（左下１番）の切縁中央である。２１ｆは右側下顎中切歯（右下１番）であり、２１ｉは右側下顎中切歯（右下１番）の切縁中央である。
図６における線分ｐｑの長さを１とした場合、基準平面２８から左側下顎中切歯（左下１番）の切縁中央２１ｅまでの該基準平面２８に対する垂直距離ｌ１（エル１）、及び基準平面２８から右側下顎中切歯（右下１番）の切縁中央２１ｉまでの該基準平面２８に対する垂直距離ｒ１は、それぞれ０．１２〜０．２０であり、０．１４〜０．１８であることが好ましい（図１１参照）。０．１２〜０．２０の範囲外の場合、咬合力が低下する。
【００６８】
図９中、２３ｂは左側下顎犬歯（左下３番）であり、２３ｅは左側下顎犬歯（左下３番）の尖頭である。２３ｆは右側下顎犬歯（右下３番）であり、２３ｉは右側下顎犬歯（右下３番）の尖頭である。
図６における線分ｐｑの長さを１とした場合、基準平面２８から左側下顎犬歯（左下３番）の尖頭２３ｅまでの該基準平面２８に対する垂直距離ｌ３（エル３）、及び基準平面２８から右側下顎犬歯（右下３番）の尖頭２３ｉまでの該基準平面２８に対する垂直距離ｒ３は、それぞれ０．１２〜０．２０であり、０．１４〜０．１８であることが好ましい（図１１参照）。０．１２〜０．２０の範囲外の場合、咬合力が低下する。
【００６９】
（義歯作製キット）
本発明の義歯作製キットは、上顎基準義歯床又は上顎基準義歯と、下顎基準義歯床又は下顎基準義歯と、からなり、裏装材や連結人工歯を含んでいても良い。基準義歯床を用いる場合、患者の口腔形状に適合するように裏装材を築盛し、かつ人工歯を配列することにより、義歯が作製される。
【００７０】
本発明の義歯作製キットは、それぞれサイズが異なる複数の上顎基準義歯床又は上顎基準義歯と、下顎基準義歯床又は下顎基準義歯と、を予め用意しておくことが好ましい。これにより、より患者への適合率を高めることができる。なお、上顎基準義歯床又は上顎基準義歯、下顎基準義歯床又は下顎基準義歯のサイズは、それぞれ２〜１０種類用意しておくことが好ましく、２〜５種類用意しておくことがより好ましく、３種類用意しておくことが特に好ましい。
【００７１】
本発明の義歯作製キットを用いて義歯を作成する方法を以下に説明する。
先ず、患者の口腔サイズに適合する上顎基準義歯床又は上顎基準義歯、及び／又は下顎基準義歯床又は下顎基準義歯をそれぞれ選択する。このような基準義歯床又は基準義歯の選択は、口腔サイズの計測を基に決定できる。口腔サイズを計測する方法は、公知の方法を用いることができるが、例えば、目視・触診による計測、印象用トレーの試適によるサイズの計測等が挙げられる。基準義歯床が選択された場合には、これらの選択された上顎基準義歯床及び下顎基準義歯床にそれぞれ人工歯が配列されて上顎義歯及び下顎義歯が作製される。さらに、上顎義歯及び下顎義歯には、それぞれ裏装材を築盛されて患者の口腔形状に完全に適合される。人工歯の配列と裏装材の築盛とはどちらを先に行っても良い。次いで、患者の口腔に試適された後、必要に応じて咬合が調整される。これにより、患者の口腔形状に合致した義歯が作製される。
【００７２】
本発明における基準義歯床の材料は公知のものがなんら制限なく使用できる。具体的に例示すれば、メチル（メタ）アクリレート、エチル（メタ）アクリレート、イソプロピル（メタ）アクリレート、ｎ−プロピル（メタ）アクリレート、ブチル（メタ）アクリレートの単独重合体若しくはこれらの共重合体から少なくとも一つ選ばれるポリ（メタ）アクリレート系樹脂、並びにポリオレフィン系樹脂（例えば、ポリプロピレン）、ポリアミド系樹脂（例えば、ナイロン６６（登録商標））、ポリエステル系樹脂（例えば、ポリカーボネート）、ポリエーテル系樹脂（例えば、ポリアセタール、ポリサルフォン）、ポリニトリル系樹脂（例えば、ポリアクリロニトリル）、ポリビニル系樹脂（例えば、ポリ酢酸ビニル）、セルロース系樹脂（例えば、酢酸セルロース）、フッ素系樹脂（例えば、ポリクロルフルオロエチレン）、イミド系樹脂（例えば、芳香族ポリイミド）等が挙げられる。
【００７３】
本発明における基準義歯床には、義歯床の強度を向上させるためにフィラーを含有させることもできる。該フィラーは、有機フィラーであっても無機フィラーであっても良い。また、無機フィラーに重合性単量体を予め添加し、ペースト状にした後、重合させ、粉砕して得られる粒状の有機−無機複合フィラーを用いても良い。
【００７４】
本発明における基準義歯床は、その一部が金属で形成されていても良い。
【００７５】
本発明における基準義歯床は、公知の成形方法によって製造できる。例えば、射出成形や圧縮成形等が挙げられる。
【００７６】
裏装材としては、公知ものが何ら制限なく使用できる。例えば、基準義歯床の材料として説明した上述のポリ（メタ）アクリレート系樹脂、並びにポリオレフィン系樹脂、ポリアミド系樹脂、ポリエステル系樹脂、ポリエーテル系樹脂、ポリニトリル系樹脂、ポリビニル系樹脂、セルロース系樹脂、フッ素系樹脂、イミド系樹脂、シリコン樹脂等が挙げられる。
裏装材は、使用目的に応じて公知の材料を適宜選択すればよい。例えば、患者自身が施術し、１日ないし数日間という比較的短期間で使用する場合には、粉状、クリーム状、又はシール状の義歯床固定用糊材（いわゆる義歯安定材）である裏装材を選択することができる。また、裏装材として、歯科医師が施術する歯科用粘膜調整材、軟質裏装材、及び硬質裏装材を選択することも可能である。口腔粘膜に潰瘍や炎症があり、疼痛を緩和させつつ口腔粘膜が健全な状態に回復させるまで使用する場合には、デュロメータＡ硬さが５５以下の裏装材（歯科用粘膜調整材、及び軟質裏装材）を選択することができる。通常、１週間から数週間使用するものが歯科用粘膜調整材であり、６か月以上の長期間使用するものが軟質裏装材である。歯科用粘膜調整材、及び軟質裏装材とも、ＪＩＳ規格でその物性が規定されている。さらに、より強固に接着し、耐久性を向上させたい場合には、ヌープ硬さ７Ｈｋ以上（ＪＩＳＴ６５２１（義歯床用硬質裏装材））である硬質裏装材を選択することができる。
【００７７】
本発明において人工歯としては、樹脂製やセラミック製の公知の人工歯を用いることができる。樹脂製の人工歯としては、上述のポリ（メタ）アクリレート系樹脂、並びにポリオレフィン系樹脂、ポリアミド系樹脂、ポリエステル系樹脂、ポリエーテル系樹脂、ポリニトリル系樹脂、ポリビニル系樹脂、セルロース系樹脂、フッ素系樹脂、イミド系樹脂、シリコン系樹脂等を材質とする人工歯が例示される。人工歯としては、２以上の人工歯が連結されて一体化している連結人工歯を用いることもできる。人工歯の固定方法としては、嵌合、接着等従来公知の方法が何ら制限なく使用できる。
【実施例】
【００７８】
（適合率）
本実施例において適合率は、基準義歯床を裏装後、形状の異なる２０種類の無歯顎全顎模型に試適した際の適合する模型数の割合で評価した。
【００７９】
（配列時間）
本実施例において配列時間は、参考例におけるオーダーメイドの義歯（参考製造例）を作製する場合に全歯列の人工歯を配列するのに要する時間を１００％とし、各実施例の基準義歯床に人工歯を配列するのに要した時間の割合で評価した。
【００８０】
（咬合調整時間）
本実施例において咬合調整時間は、オーダーメイドの義歯（参考製造例）を作製する場合に咬合を調整するのに要する時間を１００％とし、各実施例の基準義歯床に咬合を調整するのに要した時間の割合で評価した。
【００８１】
（咬度）
上顎／下顎基準義歯を模型上にセットし、フランスパン、おこわ、ごはん、とうふ、スープを用いて噛み潰すことができる食物を山本の咬度表（図１０）に則り点数として算出した。
【００８２】
（製造例１−３、比較製造例１−４）
表１に記載する形状の上顎基準義歯を作製し、適合率、配列時間、咬合調整時間を評価した。評価結果は表１に示した。なお、義歯の形状は左右対称である。
【００８３】
（製造例４−６、比較製造例５−８）
表２に記載する形状の下顎基準義歯を作製し、適合率、配列時間、咬合調整時間を評価した。評価結果は表２に示した。なお、義歯の形状は左右対称である。
【００８４】
（実施例１−３、比較例１−４、参考例１）
表３に記載する上顎基準義歯及び下顎基準義歯を用いて咬度を測定した。結果は、表３に示した。
【００８５】
表中、６番とは第一大臼歯であり、１番とは中切歯であり、３番とは犬歯である。第一大臼歯（６番）又は犬歯（３番）の場合における「０」とは、本願で規定する所定円内の中心に人工歯の中心窩（第一大臼歯の場合）又は尖頭（犬歯の場合）が配列されていることを意味する。上顎中切歯の場合、「０．９５」とは、直線ＯＭ上において点Ｍから唇側に０．９５の距離にある点Ｕ１で接する２つの所定円内の中心に、中切歯の切縁中央が配列されていることをいう。下顎中切歯の場合、「０．８４」とは、直線ｏｍ上において点ｍから唇側に０．８４の距離にある点ｕ１で接する２つの所定円内の中心に、中切歯の切縁中央が配列されていることをいう。
【００８６】
【表１】
0006630090.tif 000002
【００８７】
【表２】
0006630090.tif 000003
【００８８】
【表３】
0006630090.tif 000004
【符号の説明】
【００８９】
１１・・・上顎中切歯
１１ａ・・・左側上顎中切歯と右側上顎中切歯との歯間部
１１ｂ・・・左側上顎中切歯
１１ｄ、１１ｈ、１３ｄ、１３ｈ・・・交点
１１ｆ・・・右側上顎中切歯
１１ｃ、１３ｃ・・・中央唇側面隆線
１１ｅ、１１ｉ・・・切縁中央
１２・・・上顎側切歯
１３・・・上顎犬歯
１３ｂ・・・左側上顎犬歯
１３ｆ・・・右側上顎犬歯
１３ｅ、１３ｉ・・・尖頭
１４・・・上顎第一小臼歯
１５・・・上顎第二小臼歯
１６・・・上顎第一大臼歯
１６ａ・・・上顎第一大臼歯の中心窩
１６ｂ・・・左側上顎第一大臼歯
１６ｄ・・・右側上顎第一大臼歯
１６ｃ、１６ｅ・・・頬側遠心咬頭頂
１７・・・上顎第二大臼歯
２１・・・下顎中切歯
２１ａ・・・左側下顎中切歯と右側下顎中切歯との歯間部
２１ｂ・・・左側下顎中切歯
２１ｃ、２３ｃ・・・中央唇側面隆線
２１ｄ、２１ｈ、２３ｄ、２３ｈ・・・交点
２１ｆ・・・右側下顎中切歯
２１ｅ、２１ｉ・・・切縁中央
２１ｆ・・・右側下顎中切歯
２３ｂ・・・左側下顎犬歯
２３ｅ、２３ｉ・・・尖頭
２３ｆ・・・右側下顎犬歯
１８、２８・・・基準平面
２６ｃ、２６ｅ・・・頬側遠心咬頭頂
２６ｂ・・・左側下顎第一大臼歯
２６ｄ・・・右側下顎第一大臼歯
２２・・・下顎側切歯
２３・・・下顎犬歯
２４・・・下顎第一小臼歯
２５・・・下顎第二小臼歯
２６・・・下顎第一大臼歯
２６ａ・・・下顎第一大臼歯の中心窩
２７・・・下顎第二大臼歯
５０、５２・・・左側頬側床縁
５１、５３・・・右側頬側床縁
１００・・・上顎基準義歯床
１０１・・・人工歯
２００・・・下顎基準義歯床
【図１】
0006630090.tif 000005
【図２】
0006630090.tif 000006
【図３】
0006630090.tif 000007
【図４】
0006630090.tif 000008
【図５】
0006630090.tif 000009
【図６】
0006630090.tif 000010
【図７】
0006630090.tif 000011
【図８】
0006630090.tif 000012
【図９】
0006630090.tif 000013
【図１０】
0006630090.tif 000014
【図１１】
0006630090.tif 000015